(57)【要約】      （修正有）【課題】可読性と信頼性の高い方法で高度を表示できる携帯品を提供する。【解決手段】第１の材料で作られたフレームを含み、さらに少なくとも１つの圧力センサまたは高度センサを含む時計の外部要素であって、圧力センサまたは高度センサ１２０が、少なくとも１つのディスクまたはプレートから形成されており、ディスクまたはプレートがバインダーとピエゾクロミック顔料とから形成されているか、またはバインダーとピエゾクロミック顔料とでコーティングされており、ピエゾクロミック顔料が、特定の圧力で反応するよう選択されることにより、特定の圧力に達すると、顔料が第１の色から第２の色に変化する。【選択図】図３
2016114600.tif 000002
【特許請求の範囲】
【請求項１】
第１の材料で作られたフレームを含み、さらに少なくとも１つの圧力センサ（１２０）を含む時計の外部要素（１）であって、前記圧力センサーが、少なくとも１つのプレート（１２２）から形成されており、前記プレート（１２２）がバインダーとピエゾクロミック顔料とから形成されているか、またはバインダーとピエゾクロミック顔料とでコーティングされており、前記ピエゾクロミック顔料が、特定の圧力で反応するよう選択されることにより、前記特定の圧力に達すると、前記顔料が第１の色から第２の色に変化することを特徴とする外部要素（１）。
【請求項２】
前記圧力センサ（１２０）は複数のプレート（１２２）から形成され、各プレートが、それに特有の特定の圧力で反応することを特徴とする、請求項１に記載の外部要素。
【請求項３】
前記プレート（１２２）はすべて同じ第１の色を有することを特徴とする、請求項２に記載の外部要素。
【請求項４】
前記プレート（１２２）はすべて同じ第２の色を有することを特徴とする、請求項３に記載の外部要素。
【請求項５】
前記プレート（１２２）は、前記プレートがすべて第１の色から第２の色に変化したときに、前記第２の色が濃淡を作ることができるよう工夫されることを特徴とする、請求項３に記載の外部要素。
【請求項６】
前記圧力センサ（１２０）は海面に対してプラスの高度を測定できることを特徴とする、請求項１〜５のうちいずれか一項に記載の外部要素。
【請求項７】
前記圧力センサ（１２０）は海面に対してマイナスの高度を測定できることを特徴とする、請求項１〜６のうちいずれか一項に記載の外部要素。
【請求項８】
前記圧力センサ（１２０）は水中の深度を測定できることを特徴とする、請求項１〜５のうちいずれか一項に記載の外部要素。
【請求項９】
前記プレート（１２２）は、前記フレーム上に蒸着したインクまたは塗料またはラッカーの形状をとり、前記フレームが空洞であり、既知の圧力を（ＰＲｅｆ）有することを特徴とする、請求項１〜８のうちいずれか一項に記載の外部要素。
【請求項１０】
前記プレートは、通気性と透水性がない空洞体の形状を成す挿入体の形状をとり、前記空洞体が前記ピエゾクロミック顔料でコーティングされていることを特徴とする、請求項１〜８のうちいずれか一項に記載の外部要素。
【請求項１１】
前記プレート（１２２）は、通気性と透水性がない空洞体の形状を成す挿入体の形状をとり、前記ピエゾクロミック顔料が、前記空洞体を形成する材料内に分散されていることを特徴とする、請求項１〜８のうちいずれか一項に記載の外部要素。
【請求項１２】
前記フレームは少なくとも１つの空洞を有し、前記空洞内にプレート（１２２）が配置されることを特徴とする、請求項１〜１１のうちいずれか一項に記載の外部要素。
【請求項１３】
前記フレームはベゼル（１１４）であることを特徴とする、請求項１〜１２のうちいずれか一項に記載の外部要素。
【請求項１４】
前記フレームはガラス蓋（１０８）であることを特徴とする、請求項１〜１３のうちいずれか一項に記載の外部要素。
【請求項１５】
前記フレームは携帯時計ケース（１０２）の中央部（１０４）であることを特徴とする、請求項１〜１４のうちいずれか一項に記載の外部要素。
【請求項１６】
前記フレームは携帯時計バンド（１１０）であることを特徴とする、請求項１〜１５のうちいずれか一項に記載の外部要素。
【請求項１７】
前記携帯時計バンドは２本のベルト（１１０ａ）を含み、前記圧力センサー（１２０）が、前記２本のベルトのうち少なくとも１本の上に配置されることを特徴とする、請求項１６に記載の外部要素。
【請求項１８】
前記携帯時計バンドは互いにヒンジで連結した複数のリンク（１１０ａ）を含み、前記圧力センサ（１２０）が少なくとも１つのリンク上に配置されることを特徴とする、請求項１６に記載の外部要素。
【請求項１９】
前記携帯時計バンドはＤバックル式クラスプ（１１１）で締め、前記圧力センサーが前記クラスプ上に配置されることを特徴とする、請求項１６に記載の外部要素。
【請求項２０】
前記フレームはリューズであることを特徴とする、請求項１〜１９のうちいずれか一項に記載の外部要素。
【請求項２１】
前記ピエゾクロミック顔料は発光顔料と組み合わせ、より強い色を発することを特徴とする、請求項１〜２０のうちいずれか一項に記載の外部要素。
【発明の詳細な説明】
【技術分野】
【０００１】
本発明は、第１の材料で作られたフレームを含む時計の外部要素であって、さらに少なくとも１つの圧力センサを含む外部要素に関する。
【背景技術】
【０００２】
高度を検出するための圧力センサを備える携帯時計などの携帯品が知られている。これらの圧力センサは圧電センサの形状をとり、これを用いて応力、空気圧、水圧を電気信号に変換し、この電気信号をマイクロコントローラで解析する。
【０００３】
こうした圧電センサの欠点のひとつは、圧力、つまりは高度の表示に遅れ時間があることである。作動にはマイクロ電子システム、つまりはエネルギー源が必要である。
【０００４】
別の実現法として、実際に携帯時計のサファイアガラス蓋の内部に設けた溝または導水管に水を浸入させることによって、到達した水深を測定できるようにするダイバーズウォッチが知られている。この方法は、ボイル＝マリオットの法則として知られる物理の法則に基づいている。圧力が上昇すると、気体の体積は減少する。ゲージに浸入する水が多いほど、内部の空気は圧縮される。水と空気の接点が、ダイアルの外周部の目盛り上で水深を示す。
【０００５】
この解決策の欠点のひとつは、導水管に水滴が残り気泡ができることで機構にひずみが生じ、それにより水深の測定値が信頼できなくなる恐れがあることである。
【０００６】
別の実現法として、液体を充填して密閉した毛細管を、この毛細管に接続されたリザーバ内に配置する方法がある。この閉回路を２枚のプレートの間に挿入することで、圧力に応じてリザーバが圧縮されて毛細管内で液体が移動し、これにより水深または高度を測定できる。
【０００７】
しかしながら、この解決策は実装が難しく、液体に必要とされる物理特性のために、装飾的な可能性が制限される。
【発明の概要】
【発明が解決しようとする課題】
【０００８】
本発明は、可読性と信頼性の高い方法で高度を表示できる携帯品を提案することにより、前述の先行技術の欠点を克服する外部要素に関する。
【課題を解決するための手段】
【０００９】
この目的を達成するために、本発明の物品が提供するのは、第１の材料で作られたフレームを含み、さらに少なくとも１つの圧力センサまたは高度センサを含む時計の外部要素であって、前記圧力センサまたは高度センサが、少なくとも１つのディスクまたはプレートから形成されており、前記ディスクまたはプレートがバインダーとピエゾクロミック顔料とから形成されているか、またはバインダーとピエゾクロミック顔料とでコーティングされており、前記ピエゾクロミック顔料が、ディスクまたはプレートの表面で検知される特定の圧力で反応するよう選択されることにより、前記特定の圧力に達すると、前記顔料が第１の色から第２の色に変化することを特徴とする外部要素である。
【００１０】
第１の有利な実施形態において、前記高度センサは複数のディスクまたはプレートから形成されており、各ディスクまたはプレートは、それに特有の特定の圧力で反応する。
【００１１】
第２の有利な実施形態において、前記ディスクまたはプレートはすべて同じ第１の色を有する。
【００１２】
第３の有利な実施形態において、前記ディスクまたはプレートはすべて同じ第２の色を有する。
【００１３】
第４の有利な実施形態において、前記ディスクまたはプレートは、それらがすべて第１の色から第２の色に変化したときに、その第２の色が濃淡を作ることができるよう工夫される。
【００１４】
第５の有利な実施形態において、前記高度センサは海面に対してプラスの高度を測定できる。
【００１５】
第６の有利な実施形態において、前記高度センサは海面に対してマイナスの高度を測定できる。
【００１６】
別の有利な実施形態において、前記高度センサは水中の深度を測定できる。
【００１７】
別の有利な実施形態において、ディスクまたはプレートはフレーム上に蒸着したインクまたは塗料またはラッカーの形状をとり、前記フレームが空洞である。
【００１８】
別の有利な実施形態において、ディスクまたはプレートは、通気性と透水性がない空洞体の形状を成す挿入体の形状をとり、前記空洞体が前記ピエゾクロミック顔料でコーティングされる。
【００１９】
別の有利な実施形態において、ディスクまたはプレートは、通気性と透水性がない空洞体の形状を成す挿入体の形状をとり、前記ピエゾクロミック顔料が、前記空洞体を形成する材料内に分散される。
【００２０】
別の有利な実施形態において、フレームは少なくとも１つの空洞を有し、前記空洞内にディスクまたはプレートが配置される。
【００２１】
別の有利な実施形態において、フレームはベゼルである。
【００２２】
別の有利な実施形態において、フレームはガラス蓋である。
【００２３】
別の有利な実施形態において、フレームは携帯時計ケースの中央部である。
【００２４】
別の有利な実施形態において、フレームは携帯時計バンドである。
【００２５】
別の有利な実施形態において、携帯時計バンドはプラスチック材料で作られた２本のベルトを含み、前記高度センサーが、２本のベルトのうち少なくとも１本の上に配置される。
【００２６】
別の有利な実施形態において、携帯時計バンドは互いにヒンジで連結した複数のリンクを含み、前記高度センサーが少なくとも１つのリンク上に配置される。
【００２７】
別の有利な実施形態において、前記携帯時計バンドはＤバックル式クラスプで締め、前記高度センサが前記クラスプ上に配置される。
【００２８】
別の有利な実施形態において、フレームはリューズである。
【００２９】
別の有利な実施形態において、前記ピエゾクロミック顔料は、発光顔料と組み合わせてより強い色を発する。
【図面の簡単な説明】
【００３０】
この種の外部要素の長所は、以下の記述を読み、説明図を検討することにより明らかとなろう。
【図１】本発明による時計の概略図である。
【図２】本発明による時計の概略図である。
【図３】本発明による外部要素を形成するベゼルの概略図である。
【図４】本発明による外部要素を形成するベゼルの概略図である。
【図５】本発明による外部要素を形成するガラス蓋の概略図である。
【図６】本発明による外部要素を形成するガラス蓋の概略図である。
【図７】本発明による外部要素を形成するミドルケースの概略図である。
【図８】本発明による外部要素を形成する携帯時計バンドのベルトの概略図である。
【図９】本発明による外部要素を形成する携帯時計バンドのベルトのリンクの概略図である。
【図１０】本発明による外部要素を形成する携帯時計バンドのクラスプの概略図である。
【図１１】本発明による外部要素を形成する携帯時計バンドのクラスプの概略図である。
【図１２】本発明による外部要素を形成する携帯時計バンドのクラスプの概略図である。
【発明を実施するための形態】
【００３１】
本発明は、時計または携帯時計１００の外部要素１に関する。
【００３２】
図１および２に示す時計１００は、例えば腕時計であり、ケース１０２を含む。このケースは、裏蓋１０６とガラス蓋１０８とで閉鎖されたミドルケース１０４によって形成されている。時計はダイアル１０９と表示手段１０９ａとを備えることができる。この時計は、携帯時計バンド１１０も備える。携帯時計バンド１１０は２対のラグ１１２でミドルケースに固定する。携帯時計バンドは２本のベルトから形成することができ、ベルトはそれぞれ１対のラグに固定し、もう一方のベルトとクラスプで接続する。
【００３３】
外部要素１は第１の材料で作られたフレームを備える。この第１の材料は、例えば金属材料、セラミック材料、複合材料、またはプラスチック材料であってよい。
【００３４】
少なくとも１つの高度センサ１２０を前記フレーム上に配置する。圧力センサまたは高度センサ１２０を用いることで、ユーザは基準に対する自分の位置レベルを視覚的に確認できる。実際、プラスの高度、すなわち海面より高い高度も、マイナスの高度、すなわち海面より低い高度も表示できる高度センサの想定が可能である。
【００３５】
本発明に従って有利には、高度センサは少なくとも１つのピエゾクロミックディスクまたはプレート１２２を含む。このピエゾクロミックディスクまたはプレートは、通気性と透水性がない空洞支持部上に配置され、その穴が既知の圧力ＰＲｅｆであるか、または、通気性と透水性がない空洞体から形成され、その穴が既知の圧力ＰＲｅｆである。ディスクまたはプレートは、マトリクス内に分散したピエゾクロミック顔料から形成されてもいる。このマトリクスはバインダーであり、顔料の支持体として機能する。この構成により、ピエゾクロミック顔料は既知の圧力ＰＲｅｆと検知される外圧との圧力差を感知できる。
【００３６】
そのようなピエゾクロミック顔料は、周囲圧力で第１の色を有し、圧力が前記顔料に特有の値に達すると、色が変化して第２の色を有する。深度と高度は圧力と関連しているため、海面より高い、または低い高度を表示することができる。したがって、圧力は深度が増すと上昇し、高度が増すと低下する。
【００３７】
この特徴により、圧力閾値の交点を視覚的に示すことが可能となる。
【００３８】
好ましい実施形態において、高度センサは高度目盛りを表示できる。これを実現するために、高度センサは複数のピエゾクロミックディスクを含む。各ピエゾクロミックディスクは特定の圧力で反応する顔料を有する。その結果、各ディスクは、特定の圧力に達すると色が変化する。高度を目盛り表示するために、ディスクの特定の圧力は、だんだん高い圧力となるか、またはだんだん低い圧力となる。したがって、携帯品を持ち運ぶユーザの高度が増すと、ディスクの色が徐々に変化し、視覚的表示がもたらされる。これらのディスク１２２は、互いに、または別々に接着接合できる。
【００３９】
好ましい変形において、高度目盛りを形成する個々のディスクはすべて、静止時に第１の色、すなわち同一の色を有する。つまり、海抜高度ではすべてのディスクが同じ色を有する。
【００４０】
別の好ましい変形において、高度目盛りを形成する個々のディスクはすべて、その特定の閾値に達すると、第２の色、すなわち同一の色を有する。つまり、測定可能な最大高度ではすべてのディスクが同じ色を有する。
【００４１】
別の好ましい変形において、高度目盛りを形成する個々のディスクはすべて、同一の第１の色を有するが、そのすべてが同一の第２の色を有するわけではなく、濃淡をつけられるよう作られる。より具体的には、ディスクは、それらが高度目盛りを形成するとき、色が変化する最初のディスクの第２の色が、色が変化する最後のディスクの第２の色より明るくなるよう工夫される。例えば、最初のディスクは黄色になり、最後のディスクは赤色になる。これにより２種類の表示が可能となる。ユーザは、色が変化するディスクの数が増えることにより深度または高度が上昇していることがわかるだけでなく、色が異なる色に変化してだんだん暗くなることにより最大高度または深度に近づいていることもわかる。
【００４２】
この場合、当然のことながら、ピエゾクロミック顔料は可逆性である。つまり、顔料が特定の圧力閾値に達するか、またはこれを超えると、第１の色から第２の色へと色が変化する。しかしながら、同様に、圧力が特定の閾値を再び下回ると、顔料が第２の色から第１の色に変化する。
【００４３】
前記ピエゾクロミック顔料の例示的な実施形態において、顔料は０．０１〜５％の重量比でバインダーに分散させて使用する。顔料は、限定されない方法で以下を含む。
−フェニル、ｐ−トリル、ｐ−クロロフェニル、またはｐ−アニシルなどのアリール基から選択される１つまたは複数の置換基群を有するビス−２，４，５−トリアリールイミダゾールのトリアリールイミダゾール二量体。
【００４４】
【化１】
2016114600.tif 000003
【００４５】
好ましい化合物として以下が挙げられる：２，２’，４，４’５，５’−ヘキサフェニルビスイミダゾール；２，２’，４，４’５，５’−ヘキサ−ｐ−トリルビスイミダゾール；２，２’，４，４’５，５’−ヘキサ−ｐ−クロロフェニルビスイミダゾール；２，２’−ジ−ｐ−クロロフェニル−４，４’，５，５’テトラフェニルビスイミダゾール；２，２’−ジ−ｐ−アニシル−４，４’，５５’−テトラフェニルビスイミダゾール；２，２’−ジ−ｐ−トリル−４，４’，５５’−テトラフェニルビスイミダゾール。
−ビステトラアリールピロール、ビステトラフェニルピロール
【００４６】
【化２】
2016114600.tif 000004
【００４７】
−ビアントロン：Δ１０，１０’−ビアントロン；２，４，２’，４’−テトラメチルビアントロン、キサンチリデンアントロン。
【００４８】
【化３】
2016114600.tif 000005
【００４９】
−ジキサンチレン。
−ヘリアントロン。
−メソナフトビアントロン。
【００５０】
顔料分散には、さまざまな種類のマトリクスを用いることができる。
【００５１】
マトリクスの第１の種類としては、インク、ラッカー、塗料などがある。このマトリクスは、少なくとも１つの溶剤、可塑剤および分散剤と混合した高分子バインダーから成る。そのようなマトリクスは、ポリウレタン、アクリル、ポリシラン族、シリコーン、エポキシ、ポリアミド、セルロース系、または時計部品に求められる特有の美観と耐性を備えた他の任意のポリマー系であってよい。
【００５２】
マトリクスの第２の種類としては、熱可塑性顆粒がある。このマトリクスは、少なくとも１つの分散剤と可塑剤とを混合した樹脂から成る。
【００５３】
マトリクスの第３の種類としては、ゴム混合物がある。このマトリクスは、少なくとも電荷と分散剤と加硫剤系とを混合したエラストマーから成る。
【００５４】
マトリクスの第４の種類としては、熱硬化性混合物がある。これらの混合物は、少なくとも１つの分散剤と混合した液状樹脂から成る。
【００５５】
したがって、第２、第３、第４の種類は、成形挿入体の形状のピエゾクロミックディスクを製造でき、それに続いて、ディスクを部品に取り付けることができる（オーバーモールド、接着接合、ねじ技術を利用してよい）。これらの種類は、多材ピエゾクロミック射出によってピエゾクロミックディスクを組み込んだ成型プラスチック部品を製造することもできる。
【００５６】
これらの種類では、コーティングとして使用されるディスクは、ピエゾクロミックディスクまたは装飾、例えば、空洞かつ不透過性で、それにより既知の圧力ＰＲｅｆを有するフレーム上に高度目盛りを印刷、つまりシルクスクリーン印刷することにより作製した一連のピエゾクロミックディスクを形成することができる。この構成により、ピエゾクロミック顔料はフレーム内の既知の圧力ＰＲｅｆと検知される外圧との圧力差を感知できる。
【００５７】
これらの種類は、挿入体の形状のディスク、すなわち、通気性と透水性がない空洞体であり、その穴が既知の圧力ＰＲｅｆであるディスクを形成することもできる。この空洞体は、ピエゾクロミック顔料を含む材料で形成、または前記顔料を含むインクでコーティングできる。このコーティングは、ラッカーまたは薄膜蒸着であってよい。この構成により、ピエゾクロミック顔料は空洞体内の既知の圧力ＰＲｅｆと検知される外圧との圧力差を感知できる。
【００５８】
使用材料は、有機材料、または金属材料、または例えばプラスチックもしくは樹脂もしくはガラスなどの無機の透明もしくは不透明材料であってよい。
【００５９】
一例として、ディスクはポリメタクリル酸メチル（ＰＭＭＡとしても知られる）から製造する。このディスクは、超音波溶着によって組み立て、不透過性にした二重殻の形状である。次いで、この二重殻に、ピエゾクロミック顔料の分散体を含む熱変色性ポリウレタンラッカーを噴霧して５０μｍ蒸着させてコーティングする。ピエゾクロミック顔料は混合物の２．５重量％である。
【００６０】
第１の実施形態において、外部要素は、図３および４に示すようなベゼル１１４である。このベゼル１１４は回転ベゼルまたは固定ベゼルであってよい。固定ベゼルのケースにおいて、ベゼルは、回転できないようにミドルケースに固定したリングとするか、またはミドルケース１０４に直接組み込むことによってミドルケースと一体化したベゼルを形成してよい。
【００６１】
そのようなベゼル１１４は、ユーザから見て正面になる上壁１１４ａと、回転ベゼルのケースにおいてユーザがベゼルを回転できるようにする垂直壁１１４ｂとを有する。
【００６２】
この実施形態において、ピエゾクロミック顔料ディスク１２２は、可視面として機能する上壁１１４ａ上に配置する。
【００６３】
ディスク１２２がインクまたは塗料の形状をとる場合、これらのディスクは、前記上壁上にシルクスクリーン印刷され、ベゼルは空洞を有する。目盛りもシルクスクリーン印刷し、数字表示をこれらのピエゾクロミックディスクに付け加えてもよい。言うまでもなく、０、１００ｍ、２００ｍといった重要な値は、異なるディスク１２２ａによって表示することもできよう。
【００６４】
ディスクが挿入体の形状をとる場合、ベゼル１１４の上壁１１４ａは空洞を有する（図示せず）。空洞の数は挿入体の数と同一である。次いで、挿入体を空洞内に位置付け、例えば接着接合によって固定することができる。しかしながら、空洞に挿入体をオーバーモールドすることも可能である。したがって、これにより、例えば金属ベゼルがゴムの挿入体を有するとき、２種材料の外見を有するベゼルが得られる。
【００６５】
言うまでもなく、ベゼル上に複数の高度センサー１２０を設けることもできる。例えば、第１のセンサーは、ベゼル上で時間環の９時の位置から時間環の３時の位置へ円弧を描いて伸びることができよう。第２のセンサーは、ベゼル上で時間環の３時の位置から時間環の９時の位置へ円弧を描いて伸びることができよう。第１のセンサーの第１の色は、第２のセンサーの第１の色と同一になるよう、または異なるよう選択してよい。
【００６６】
この２つの色が同一の場合、有利には、ディスク１２０を１２個、つまり１時間につき１個設け、有利には、異なる第２の色を有する。例えば、第１のセンサおよび第２のセンサの第１の色が白色で、深度測定用の第１のセンサは第２の色が青色であるのに対し、高度測定用の第２のセンサは第２の色が赤色である。
【００６７】
図５および６に示す第２の実施形態において、外部要素は携帯品のガラス蓋１０８である。このガラス蓋１０８はミドルケース１０４に固定されており、上面１０８ａと下面１０８ｂと装着用の側縁１０８ｃとを備える。
【００６８】
この第２の実施形態において、ピエゾクロミックディスク１２２はガラス蓋の上面１０８ａ上に配置する。
【００６９】
インクまたは塗料の場合、ディスクは前記上面１０８ａ上にシルクスクリーン印刷する。目盛りもシルクスクリーン印刷し、数字表示をこれらのピエゾクロミックディスクに付け加えてもよい。この目盛りはベゼル上にシルクスクリーン印刷してもよい。
【００７０】
ある変形において、ガラス蓋は、深さが非常に浅い空洞１０８ｄを備える。これらの空洞があることで、その内部にピエゾクロミックインクが収まるとともに、ガラス蓋１０８の表面が完全に平らになり、それにより、前記インクが衝撃によりそぎ取られるリスクが低減する。
【００７１】
ディスク１２２が挿入体の形状をとる場合、ガラス蓋１０８の上面１０８ａは空洞１０８ｄを備える。空洞の数は挿入体の数と同一である。次いで、挿入体を空洞内に位置付け、例えば接着接合によって固定することができる。しかしながら、空洞に挿入体をオーバーモールドすることも可能である。したがって、２種材料の外見を有するガラス蓋が得られる。
【００７２】
いずれの場合も、ピエゾクロミックディスク１２２はガラス蓋の上面に配置するが、深度または高度表示用に、数字をダイアル上またはガラス蓋の底面に配置できる。
【００７３】
図７に示す第３の実施形態において、外側要素３０は携帯品のミドルケース１０４である。
【００７４】
第１および第２の実施形態では、インクまたは挿入体の形状のピエゾクロミックディスク１２２を、ミドルケース上または前記ミドルケースの空洞内に直接配置する。深度表示用の数字は、ミドルケース上にシルクスクリーン印刷してよい。
【００７５】
第４の実施形態において、外部要素は携帯時計バンド１１０である。実際に、時計は携帯時計バンドを２対のラグでミドルケースに固定する。
【００７６】
図８に示す第１のケースにおいて、携帯時計バンド１１０は２本の携帯時計バンドのベルト１１０ａから形成し、ベルトはそれぞれ１対のラグ１１２に固定し、もう一方のベルトとクラスプ１１１で接続する。好ましくは、携帯時計バンドのベルト１１０ａはゴム製またはプラスチック製である。
【００７７】
ピエゾクロミックディスク１２２の配置にはいくつかの解決策がある。
【００７８】
第１の解決策は、携帯時計バンドにピエゾクロミックインクをシルクスクリーン印刷するか、または、特定領域にピエゾクロミック塗料でコーティングする方法である。この工程は、皮革、プラスチック、金属、またはプラスチックの携帯時計バンドに行うことができる。
【００７９】
第２の解決策は、挿入体としてディスクを用いて、携帯時計バンドのリンクに形成された空洞にこれらの挿入体を位置付け、固定する方法である。
【００８０】
第３の解決策は、ピエゾクロミックインクで可撓性支持体をシルクスクリーン印刷する方法である。次いで、この可撓性支持体を携帯時計バンドのリンクに挿入することで、ディスクが目に見える。
【００８１】
図９に示す第２のケースにおいて、携帯時計バンドは金属製で、複数のリンク１１０ｂで形成されており、ピンを用いて互いに装着されている。これにより、互いに対し旋回可能なリンク１１０ｂが得られる。
【００８２】
この携帯時計バンドのベルトはクラスプも備える。本明細書に示すクラスプはＤバックル１１１の形状をしている。
【００８３】
インクまたは挿入体の形状であるピエゾクロミックディスク１２２は、前記携帯時計バンドのリンク１１０ｂ内、または携帯時計バンド上に直接、またはその空洞内に配置する。
【００８４】
好ましくは、各リンク１１０ｂがピエゾクロミックディスクを備える。
【００８５】
さらに好ましくは、ピエゾクロミックディスク１２２は、６時側の１対のラグとＤバックルとの間に位置するリンク１００ｃ上に配置する。実際、ユーザが手首に時計を装着しているとき、６時側の１対のラグとＤバックル１１１との間に位置するリンク１１０ｂがユーザにとってもっとも見やすい。ユーザは軽く手首をひねるだけで、リンク１１０ｂを見ることができる。ユーザの腕がテーブルや机の上に置かれているとき、リンク１１０ｂはさらに見やすい。この配置であれば、ガラス蓋またはベゼル上にディスクを備えてダイアル上に可視表示を詰め込むことが避けられ、なおも優れた可視性が実現できる。
【００８６】
図１０〜１２に示す第４の実施形態において、外部要素はクラスプ１１１、すなわち携帯時計バンドのＤバックルである。このＤバックルは一般に、互いにヒンジで連結した縦方向のバーのような１１１ａ、１１１ｂ、１１１ｃの３つのパーツから形成される。これらのパーツのうち２つはリンクに固定される。したがって、Ｄバックル１１１を形成するこれらのパーツは、互いにヒンジで連結することで、１つのパーツが別の１つのパーツ上に位置することができ、それにより、これら３つのパーツ１１１ａ、１１１ｂ、１１１ｃが１つのパーツを形成する。この構成により、携帯時計バンドを一瞬で延ばして、ユーザの手首に装着することが可能となる。
【００８７】
Ｄバックルのモデルによっては、パーツの１つが主要パーツ１１１ａとして機能し、このパーツが他の２つのパーツ１１１ｂ、１１１ｃを収容する。この主要パーツ１１１ａは外側から見えるパーツである。したがって、ユーザは外側からは金属プレートの形状をとる１つのパーツが見え、このパーツ上にブランド名などのマーキングを彫ることができる。
【００８８】
有利には、本発明はこの表面を用いて高度センサーを配置する。したがって、ピエゾクロミックディスク１２２を、図１０に示すＤバックルの中央のパーツ１１１ａのこの表面上に配置する。
【００８９】
ピエゾクロミックディスク１２２を一列に並べ、数字表示の目盛りを付け加えてもよい。しかしながら、ディスク１２２は、図１１に示すように、高度に応じて異なる大きさを有するよう構成できる。例えば、ピエゾクロミックディスク１２２は、深度または高度が増すに従ってバーが大きくなるように構成できる。したがって、数字表示がなくても、ユーザは信頼できる情報を得ることができる。
【００９０】
図１２に示す変形において、延長目盛りを備えることができる。この延長目盛りには中心線があり、そこからピエゾクロミックバー１２２を形成するバーが伸びている。これらのバーは、深度測定用のバーが上向きに伸びるのに対し、高度測定が下向きに伸びるように、中心線の両側に伸びている。
【００９１】
本発明の変形において、ピエゾクロミック顔料は、紫外線存在下でより強い色を発するよう発光顔料と組み合わせるか、または、可視スペクトルのエネルギーを吸収し、光の非存在下で強い色を発するよう燐光顔料と組み合わせる。
【００９２】
この特徴により、ピエゾクロミックディスク１２２は発光が可能となり、いかなる状況でもユーザに見えるようになる。例えば、紫外線または可視光線に反応するこの能力により、暗い環境での深海ダイビング中にディスクを読み取ることができる。
【００９３】
付属の特許請求の範囲に定める本発明の範囲から逸脱することなく、上述した本発明のさまざまな実施形態に、当業者に明らかなさまざまな修正および／または改善および／または組み合わせを行うことが可能であることは明らかであろう。
【００９４】
時計のリューズに少なくとも１つのピエゾクロミックディスクを備えることも可能である。このディスクは、色が変化する圧力が、前記時計の最大高度または深度に対応するよう構成できる。
【符号の説明】
【００９５】
１  外部要素
１００  時計
１００ｃ  リンク
１０２  ケース
１０４  ミドルケース
１０６  裏蓋
１０８  ガラス蓋
１０８ａ  上面
１０８ｂ  下面
１０８ｃ  側縁
１０８ｄ  空洞
１０９  ダイアル
１０９ａ  表示手段
１１０  携帯時計バンド
１１０ａ  携帯時計バンドのベルト
１１０ｂ  リンク
１１１  クラスプ
１１１ａ  パーツ
１１１ｂ  パーツ
１１１ｃ  パーツ
１１２  ラグ
１１４  ベゼル
１１４ａ  上壁
１１４ｂ  垂直壁
１２０  圧力センサまたは高度センサ
１２２  ピエゾクロミックディスクまたはプレート
１２２ａ  異なるディスク
【図１】
2016114600.tif 000006
【図２】
2016114600.tif 000007
【図３】
2016114600.tif 000008
【図４】
2016114600.tif 000009
【図５】
2016114600.tif 000010
【図６】
2016114600.tif 000011
【図７】
2016114600.tif 000012
【図８】
2016114600.tif 000013
【図９】
2016114600.tif 000014
【図１０】
2016114600.tif 000015
【図１１】
2016114600.tif 000016
【図１２】
2016114600.tif 000017